【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
画像形成装置の被装着部への挿入操作に伴い着脱可能にセットされる現像剤補給容器であって、
現像剤を収容する容器本体であって、現像剤を排出するための開口部と、被ロック部と、を備えた容器本体と、
前記開口部を開閉するためのシャッタと、
前記シャッタを前記被ロック部にロックするためのシャッタロック部であって、前記現像剤補給容器の挿入操作終了時に前記被ロック部からロック解除されるシャッタロック部と、
前記現像剤補給容器の挿入操作中に前記シャッタロック部のロック解除に要する負荷以上の挿入負荷を生じさせるため前記被装着部と摺動可能に設けられた挿入負荷発生部であって、前記シャッタロック部のロック解除に伴い挿入負荷が小さくなるように構成された挿入負荷発生部と、
を有することを特徴とする現像剤補給容器。
【請求項２】
前記シャッタロック部は、前記現像剤補給容器の挿入操作終了時に前記被装着部との当接により弾性変形することに伴いロック解除されるように構成されていることを特徴とする請求項１記載の現像剤補給容器。
【請求項３】
前記シャッタを開閉操作するためのハンドルと、
前記ハンドルを前記容器本体に設けられた被ハンドルロック部にロックするためのハンドルロック部であって、前記現像剤補給容器の挿入操作終了時に前記被ハンドルロック部からロック解除されるように構成されたハンドルロック部と、を有し、
前記挿入負荷発生部は、前記シャッタロック部のロック解除に要する負荷と前記ハンドルロック部のロック解除に要する負荷との合算値以上となる前記挿入負荷を生じさせるように構成されていることを特徴とする請求項１又は請求項２に記載の現像剤補給容器。
【請求項４】
前記ハンドルロック部は、前記現像剤補給容器の挿入操作終了時に前記被装着部との当接により弾性変形することに伴いロック解除されるように構成されていることを特徴とする請求項３記載の現像剤補給容器。
【請求項５】
前記容器本体には位置決めピンが設けられ、前記被装着部には前記位置決めピンが前記現像剤補給容器の挿入操作終了時に挿入される位置決め穴が設けられており、
前記挿入負荷発生部は、前記シャッタロック部のロック解除に要する負荷と、前記ハンドルロック部のロック解除に要する負荷と、前記位置決めピンの前記位置決め穴への嵌合に要する負荷の合算値以上となる前記挿入負荷を生じさせるように構成されていることを特徴とする請求項４記載の現像剤補給容器。
【請求項６】
前記挿入負荷発生部は前記容器本体の上面に設けられたリブであることを特徴とする請求項１乃至請求項５のいずれか１項に記載の現像剤補給容器。
【請求項７】
前記挿入負荷発生部は、前記挿入操作終了時において挿入負荷を生じないように構成されていることを特徴とする請求項１乃至請求項６のいずれか１項に記載の現像剤補給容器。
【請求項８】
画像形成装置の被装着部への挿入操作に伴い着脱可能にセットされる現像剤補給容器であって、
現像剤を収容する容器本体であって、現像剤を排出するための開口部と、被ハンドルロック部と、を備えた容器本体と、
前記開口部を開閉するためのシャッタと、
前記シャッタを開閉操作するためのハンドルと、
前記ハンドルを前記被ハンドルロック部にロックするためのハンドルロック部であって、前記現像剤補給容器の挿入操作終了時に前記被ハンドルロック部からロック解除されるように構成されたハンドルロック部と、
前記現像剤補給容器の挿入操作中に前記ハンドルロック部のロック解除に要する負荷以上の挿入負荷を生じさせるため前記被装着部と摺動可能に設けられた挿入負荷発生部であって、前記ハンドルロック部のロック解除に伴い挿入負荷が小さくなるように構成された挿入負荷発生部と、
を有することを特徴とする現像剤補給容器。
【請求項９】
前記ハンドルロック部は、前記現像剤補給容器の挿入操作終了時に前記被装着部との当接により弾性変形することに伴いロック解除されるように構成されていることを特徴とする請求項８記載の現像剤補給容器。
【請求項１０】
前記挿入負荷発生部は、前記容器本体の上面に設けられたリブであることを特徴とする請求項８又は請求項９に記載の現像剤補給容器。
【請求項１１】
前記挿入負荷発生部は、前記挿入操作終了時において挿入負荷を生じないように構成されていることを特徴とする請求項８乃至請求項１０のいずれか１項に記載の現像剤補給容器。
【請求項１２】
像担持体と、
前記像担持体上に形成された静電像を現像する現像器と、
請求項１乃至請求項１１のいずれか１項に記載の現像剤補給容器と、
前記現像剤補給容器を着脱可能に装着するための被装着部と、
を有することを特徴とする画像形成装置。
【手続補正２】
【補正対象書類名】明細書
【補正対象項目名】００１６
【補正方法】変更
【補正の内容】
【００１６】
上記課題を解決するための本発明における代表的な現像剤補給容器は、画像形成装置の被装着部への挿入操作に伴い着脱可能にセットされる現像剤補給容器であって、現像剤を収容する容器本体であって、現像剤を排出するための開口部と、被ロック部と、を備えた容器本体と、前記開口部を開閉するためのシャッタと、前記シャッタを前記被ロック部にロックするためのシャッタロック部であって、前記現像剤補給容器の挿入操作終了時に前記被ロック部からロック解除されるシャッタロック部と、前記現像剤補給容器の挿入操作中に前記シャッタロック部のロック解除に要する負荷以上の挿入負荷を生じさせるため前記被装着部と摺動可能に設けられた挿入負荷発生部であって、前記シャッタロック部のロック解除に伴い挿入負荷が小さくなるように構成された挿入負荷発生部と、を有することを特徴とする。
【手続補正３】
【補正対象書類名】明細書
【補正対象項目名】００１７
【補正方法】変更
【補正の内容】
【００１７】
また、上記課題を解決するための画像形成装置は、像担持体と、前記像担持体上に形成された静電像を現像する現像器と、上述の現像剤補給容器と、前記現像剤補給容器を着脱可能に装着するための被装着部と、を有することを特徴とする。
【手続補正４】
【補正対象書類名】明細書
【補正対象項目名】００３５
【補正方法】変更
【補正の内容】
【００３５】
また、保持部２−６が設けられている端面側にはハンドル取付部２−７、被ハンドルロック部としてのハンドルロック開封被係止部２−７−１とハンドルロック封止被係止部２−７−２が設けられている。ハンドル５はハンドル取付部２−７に回転自在に取り付けられる。
【手続補正５】
【補正対象書類名】明細書
【補正対象項目名】００４４
【補正方法】変更
【補正の内容】
【００４４】
また、ハンドル５には操作部５−１をユーザが誤って操作することのないように、シャッタ３の封止解除を規制するハンドルロック部が設けられている。このロック部は、図６(B)に示すように、開封方向係止部５−３と、封止方向係止部５−４と、ロック解除部５−５とを有する。すなわち、容器本体２に設けたハンドルロック開封被係止部２−７−１と開封方向係止部５−３とが係止し、ハンドルロック封止被係止部２−７−２と封止方向係止部５−４とが係止され、ハンドル５は開封方向、封止方向ともに回転不可に係止される。
【手続補正６】
【補正対象書類名】明細書
【補正対象項目名】００５９
【補正方法】変更
【補正の内容】
【００５９】
前述したように、本実施形態の現像剤補給容器１は容器本体２の上面に突部である段差リブ２−11を設けている。この段差リブ２−11は、図12に示すように、容器本体２の上面に突出しており、高さが異なる挿入負荷発生部である高リブ２−11−１と低リブ２−11−２とを有している。この段差リブ２−11が現像剤補給容器１をホッパ10に装着する過程において、ホッパ10に設けた位置決めリブ19と干渉（接触）する。この干渉により、現像剤補給容器１は変形しながら装着される。この際に生じる摩擦力により、現像剤補給容器１のホッパ１０への装着に必要な装着負荷が増加する。すなわち、容器被装着部に設けられたリブ19は、段差リブ２−11と係合して装着負荷を生じさせる部分となる。そのときの装着負荷の変化を図12(A)、(B)、(C)の各図の状態ごとに説明する。
【手続補正７】
【補正対象書類名】明細書
【補正対象項目名】００８７
【補正方法】変更
【補正の内容】
【００８７】
本実施形態の現像剤補給容器１を図18(A)、(B)を用いて説明する。図18(A)は本実施形態に係る現像剤補給容器１の斜視図であり、図18(B)は本実施形態に係るシャッタ３の斜視図である。本実施形態に係る容器本体２には、シャッタ３のシャッタロック部３−３と係止する被ロック部としてのロック被係止部２−13が設けられている。また、シャッタ３にはシャッタロック部３−３が設けられており、シャッタロック部３−３には解除部３−３−１と係止部３−３−２が設けられている。